(57)【要約】【課題】この発明は、アノードのガス流路とカソードのガス流路のうち一方のガス流路の入口側と他方のガス流路の出口が電解質膜を介して対向し、当該他方のガス流路の出口部分から当該一方のガス流路の入口部分へと電解質膜を介して移動してくる水を用いて、当該一方のガス流路の入口部分を流れるガスを加湿する際に、当該ガスに含ませる水の量を増加させることができる燃料電池システムを提供することを目的とする。【解決手段】燃料電池スタック１０と、水素を加熱するヒータ１６と、空気を加熱するヒータ３４を設ける。燃料電池スタック１０内の燃料電池セルは、アノードのガス流路の入口側と出口側、カソードのガス流路の出口側と入口側が、および、アノードのガス流路の出口側とカソードのガス流路の入口側が、それぞれ電解質膜を介して対向するように構成される。【選択図】図１
2008097891.tif 000002
【特許請求の範囲】
【請求項１】
電解質膜と、
前記電解質膜の一方の面に設けられるアノード電極触媒層と、
前記電解質膜の他方の面に設けられるカソード電極触媒層と、
前記アノード電極触媒層に重なるように配置され、該アノード電極触媒層に供給されるガスが流通するアノードガス流路が形成されたアノードガス流通部材と、
前記カソード電極触媒層に重なるように配置され、該カソード電極触媒層に供給されるガスが流通するカソードガス流路が形成されたカソードガス流通部材と
を有し、
前記アノードガス流路と前記カソードガス流路のうち一方のガス流路の入口側と他方のガス流路の出口側とが前記電解質膜を介して対向するように、前記アノードガス流通部材と前記カソードガス流通部材が取り付けられ、
前記一方のガス流路に流入するガスを加熱する加熱手段を有することを特徴とする燃料電池システム。
【請求項２】
前記他方のガス流路の出口部分を冷却する冷却手段を有することを特徴とする請求項１に記載の燃料電池システム。
【請求項３】
前記他方のガス流路の出口部分に前記電解質膜の露出部分を有することを特徴とする請求項１または２に記載の燃料電池システム。
【請求項４】
前記一方のガス流路の入口部分に前記電解質膜の露出部分を有することを特徴とする請求項１乃至３に記載の燃料電池システム。
【請求項５】
前記他方のガス流路側の電極触媒層のうち、該他方のガス流路の出口部分の電極触媒層は、他の位置の電極触媒層よりも触媒の量が少ないことを特徴とする請求項１または２に記載の燃料電池システム。
【請求項６】
前記一方のガス流路側の電極触媒層のうち、該一方のガス流路の入口部分の電極触媒層は、他の位置の電極触媒層よりも触媒の量が少ないことを特徴とする請求項１、２または５に記載の燃料電池システム。
【請求項７】
前記加熱手段は、前記一方のガス流路に流入するガスを燃料電池の温度よりも高い温度になるように加熱することを特徴とする請求項１乃至６に記載の燃料電池システム。
【請求項８】
前記一方のガス流路を流通するガスの湿度の目標値に基づいて、前記加熱手段の出力の目標値を決定する出力決定手段と、
前記加熱手段の出力が前記出力の目標値に一致するように、該加熱手段を制御する制御手段と、
を有することを特徴とする請求項１乃至７に記載の燃料電池システム。
【発明の詳細な説明】
【技術分野】
【０００１】
この発明は、燃料電池システムに関する。
【背景技術】
【０００２】
従来、特開２００３−２４９２４３号公報に開示されているように、発電に伴う生成水などの燃料電池内部の水を利用して、電解質膜の加湿を行う燃料電池が知られている。上記従来の燃料電池は、その内部に電解質膜を有している。電解質膜の一方の面側には、水素が流通するアノードガス流路が形成されたセパレータが設けられ、他方の面側には、空気が流通するカソードガス流路が形成されたセパレータが設けられる。
【０００３】
これらのセパレータは、アノードのガス流路の入口側とカソードのガス流路の出口側、および、アノードのガス流路の出口側とカソードのガス流路の入口側が、それぞれ電解質膜を介して対向するように設けられている。また、上記従来の技術における燃料電池では、電解質膜の上述した各ガス流路が対向する部位には電極触媒層が設けられていない（電解質膜が露出している）状態とされ、かつ、各ガス流路の出口部分を冷却する冷却系を備えている。
【０００４】
燃料電池が発電する際には、カソードに水が生成する。カソードガス流路の空気は、この生成水を含みながら流れる。このため、カソードガス流路の出口側の空気は相対的に湿度が高くなり、当該位置ではカソードとアノードの間の湿度差が大きくなる。カソードとアノードの間に湿度差があると、電解質膜を介して水が湿度の低い側へと移動する。このため、上記従来の燃料電池では、カソードガス流路の出口側からアノードのガス流路の入口側へと電解質膜を介して水が移動することになる。
【０００５】
アノードガス流路の入口側へと移動してきた水は、当該位置を流れる水素に持ち去られる。換言すれば、アノードガス流路の入口側へ移動してきた水により、水素の加湿が行われる。加湿された水素はアノードへと流れ込み、当該水素に含まれる水分が電解質膜へと供給される。
【０００６】
アノードガス流路内の水素もアノードの水を含みながら流れるので、アノードガス流路の出口側は相対的に湿度が高くなる。このため、アノードガス流路の出口側においても、アノードとカソードの湿度差が大きくなる。その結果、アノードガス流路の出口側からカソードガス流路の入口側へと水が移動し、カソードガス流路の入口部分で空気が加湿される。その結果、加湿された空気がカソードに流れ込み、当該空気の水分が電解質膜に供給される。このように、上記従来の技術によれば、燃料電池内部の水を利用してアノードとカソードのガスを加湿し、電解質膜の加湿を行うことができる。
【０００７】
また、上記従来の技術における燃料電池は、冷却系が各ガス流路の出口部分のガスを冷却することで、ガス中の水分を凝縮し、当該位置に多くの液体の水を供給できるという利点や、電解質膜の露出部分を設けることで、電解質膜の表面に触れるガス量を増加させることができるという利点も有している。
【０００８】
【特許文献１】特開２００３−２４９２４３号公報
【特許文献２】国際公開ＷＯ００／１４８１９号パンフレット
【特許文献３】特開２００２−２５５８４号公報
【特許文献４】特開２０００−１６４２２９号公報
【特許文献５】特開２００４−１４６２４６号公報
【発明の開示】
【発明が解決しようとする課題】
【０００９】
上記従来の技術においては、アノードのガス流路とカソードのガス流路のうち、一方のガス流路の出口側から他方のガス流路の入口側へと電解質膜を介して移動してくる水が当該他方のガス流路の入口部分でガスに含まれることにより、当該ガスが加湿される。
【００１０】
一方のガス流路の出口部分を流れる排ガスから電解質膜に吸収された水分は、電解質膜の他方のガス流路の入口部分を流れるガスに蒸発する。このとき、気化潜熱により、電解質膜の当該他方のガス流路入口部分に対応する部位の温度が低下する。温度が低下することにより、電解質膜の当該他方のガス流路入口側の表面では蒸発速度が抑制され、蒸発する水分が少なくなる。その結果、当該他方のガス流路入口部分を流れるガスに供給される水の量が少なくなる。
【００１１】
ガス流路入口部分を流れる際にガスに供給される水の量が少ない場合、当該ガスが燃料電池内を流れる際に電解質膜に供給される水分も少なくなる。その結果、電解質膜に十分な水分をすることが困難となり、水分を供給するために加湿器を新たに加えるなどの対策が必要となるおそれがある。また、電解質膜の加湿を十分に行うために比較的多くのガスを流す必要が生ずるなど、電解質膜の加湿を効率よく行うことが難しくなる。
【００１２】
この発明は、上記のような課題を解決するためになされたもので、アノードのガス流路とカソードのガス流路のうち一方のガス流路の入口側と他方のガス流路の出口が電解質膜を介して対向し、当該他方のガス流路の出口部分から当該一方のガス流路の入口部分へと電解質膜を介して移動してくる水を用いて、当該一方のガス流路の入口部分を流れるガスを加湿する際に、当該ガスに含ませる水の量を増加させることができる燃料電池システムを提供することを目的とする。
【課題を解決するための手段】
【００１３】
第１の発明は、上記の目的を達成するため、燃料電池システムであって、
電解質膜と、
前記電解質膜の一方の面に設けられるアノード電極触媒層と、
前記電解質膜の他方の面に設けられるカソード電極触媒層と、
前記アノード電極触媒層に重なるように配置され、該アノード電極触媒層に供給されるガスが流通するアノードガス流路が形成されたアノードガス流通部材と、
前記カソード電極触媒層に重なるように配置され、該カソード電極触媒層に供給されるガスが流通するカソードガス流路が形成されたカソードガス流通部材と
を有し、
前記アノードガス流路と前記カソードガス流路のうち一方のガス流路の入口側と他方のガス流路の出口側とが前記電解質膜を介して対向するように、前記アノードガス流通部材と前記カソードガス流通部材が取り付けられ、
前記一方のガス流路に流入するガスを加熱する加熱手段を有することを特徴とする。
【００１４】
また、第２の発明は、第１の発明において、
前記他方のガス流路の出口部分を冷却する冷却手段を有することを特徴とする。
【００１５】
また、第３の発明は、第１または第２の発明において、
前記他方のガス流路の出口部分に前記電解質膜の露出部分を有することを特徴とする。
【００１６】
また、第４の発明は、第１乃至第３の発明において、
前記一方のガス流路の入口部分に前記電解質膜の露出部分を有することを特徴とする。
【００１７】
また、第５の発明は、第１または第２の発明において、
前記他方のガス流路側の電極触媒層のうち、該他方のガス流路の出口部分の電極触媒層は、他の位置の電極触媒層よりも触媒の量が少ないことを特徴とする。
【００１８】
また、第６の発明は、第１、第２または第５の発明において、
前記一方のガス流路側の電極触媒層のうち、該一方のガス流路の入口部分の電極触媒層は、他の位置の電極触媒層よりも触媒の量が少ないことを特徴とする。
【００１９】
また、第７の発明は、第１乃至第６の発明において、
前記加熱手段は、前記一方のガス流路に流入するガスを燃料電池の温度よりも高い温度になるように加熱することを特徴とする。
【００２０】
また、第８の発明は、第１乃至第７の発明において、
前記一方のガス流路を流通するガスの湿度の目標値に基づいて、前記加熱手段の出力の目標値を決定する出力決定手段と、
前記加熱手段の出力が前記出力の目標値に一致するように、該加熱手段を制御する制御手段と、
を有することを特徴とする。
【発明の効果】
【００２１】
第１の発明によれば、アノードのガス流路とカソードのガス流路のうち一方のガス流路の入口側と他方のガス流路の出口側とが電解質膜を介して対向し、当該他方のガス流路の出口部分から当該一方のガス流路の入口部分へと電解質膜を介して移動してくる水を用いて、当該一方のガス流路の入口部分を流れるガスを加湿する際、この入口部分を流れるガスを加熱することにより、より多くの水を当該ガスに含ませることができる。
【００２２】
第２の発明によれば、アノードとカソードのガス流れの出口部分を冷却することにより、ガスに含まれる水分を凝縮することができる。これにより、ガスに含まれる水を回収して、電解質膜の加湿に利用する水を効率よく得ることができる。
【００２３】
第３の発明によれば、電解質膜を介して一方のガス流路の出口部分から他方のガス流路の入口部分へ向かう水の移動量を増加し、加熱されたガスに含ませる水量（湿度）を増加させることができる。
【００２４】
第４の発明によれば、電解質膜を介して一方のガス流路の出口部分から他方のガス流路の入口部分へ向かう水の移動量を増加し、加熱されたガスに含ませる水量（湿度）を増加させることができる。
【００２５】
第５の発明によれば、電解質膜を介して一方のガス流路の出口部分から他方のガス流路の入口部分へ向かう水の移動量を増加し、加熱されたガスに含ませる水量（湿度）を増加させることができる。
【００２６】
第６の発明によれば、電解質膜を介して一方のガス流路の出口部分から他方のガス流路の入口部分へ向かう水の移動量を増加し、加熱されたガスに含ませる水量（湿度）を増加させることができる。
【００２７】
第７の発明によれば、燃料電池に流入するガスの温度が燃料電池の温度よりも高くなるようにこのガスを加熱することにより、当該ガス中の水量（湿度）を効果的に増加させることができる。
【００２８】
第８の発明によれば、燃料電池に流入するガスが望ましい湿度となるように、当該ガスの加熱を行うことができる。
【発明を実施するための最良の形態】
【００２９】
実施の形態１．
［実施の形態１のシステムの構成］
図１は、本発明の実施の形態１の燃料電池システムを説明するための図である。実施の形態１の燃料電池システムは、燃料電池スタック１０を有している。実施の形態１のシステムは、この燃料電池スタック１０に対して反応ガスを供給する、水素系とエア系（図１の実線矢印）を有している。水素系は、燃料電池スタック１０のアノードに連通しており、その内部を水素が流通する。エア系は、燃料電池スタック１０のカソードに連通しており、その内部を空気が流通する。
【００３０】
また、実施の形態１の燃料電池システムは、燃料電池スタック１０内の燃料電池セルを冷却するための、第１冷却系および第２冷却系（図１の破線矢印）を有している。これらの二つの冷却系は、燃料電池スタック１０内部の燃料電池セルを冷却するが、冷却を行う部位が相違している。
【００３１】
具体的には、第１冷却系は、主に、燃料電池セル全体の冷却を行うための冷却系である。第２冷却系は、実施の形態１の燃料電池セルの加湿部（詳細については後述する）の冷却を行うための系である。以下、水素系、エア系、第１冷却系、第２冷却系の順に、それぞれ具体的な構成を説明する。
【００３２】
（水素系）
実施の形態１のシステムの水素系は、水素タンク１２を有している。水素タンク１２には、高圧の状態で水素が充填されている。水素系における水素タンク１２の下流には、バルブ１４が設けられている。バルブ１４の開弁により燃料電池スタック１０への水素供給を、バルブ１４の閉弁により水素供給の停止を、それぞれ行うことができる。また、バルブ１４の開度を調節することにより、水素タンク１２の高圧な水素を適当な圧力に減圧して、下流側へと供給することができる。
【００３３】
バルブ１４の下流には、ヒータ１６が設けられている。ヒータ１６は、バルブ１４を通過して水素系を流れてきた水素を加熱することができる。ヒータ１６の下流には、温度センサT2が設けられている。温度センサT2のさらに下流は、燃料電池スタック１０の水素入口２０に連通している。以上の構成によれば、水素タンク１２から燃料電池スタック１０に、適宜水素を供給することができる。
【００３４】
水素入口２０は、燃料電池スタック１０のアノード（換言すれば、燃料電池スタック１０内の各燃料電池セルのアノード）に連通している。水素入口２０から流入した水素は、各燃料電池セルのアノードに至り、当該燃料電池セルの発電反応に寄与する。
【００３５】
アノードで発電に消費されなかった水素、および、発電に伴いカソードで生成されアノードへと移動してきた水を含むガス（以下、「アノードオフガス」と呼称する）は、水素出口２２から燃料電池スタック１０の外部に流出する。水素出口２２は、図示しない水素排出系に連通している。前述したアノードオフガスは、この水素排出系へと流れる。
【００３６】
（エア系）
実施の形態１のシステムのエア系は、その上流に、エア入口３０を有している。エア入口３０は、大気に連通している。エア入口３０の下流側には、エアコンプレッサ３２が設けられている。エアコンプレッサ３２を駆動状態とすることで、エア入口３０から空気を吸入し、その空気をエアコンプレッサ３２の更に下流側へと供給することができる。
【００３７】
エア系は、エアコンプレッサ３２の下流に、ヒータ３４を有している。ヒータ３４は、エアコンプレッサ３２により供給された空気を加熱することができる。ヒータ３４の下流には、温度センサT3が設けられている。温度センサT3のさらに下流は、燃料電池スタック１０のエア入口３８に連通している。
【００３８】
エア入口３８は、燃料電池スタック１０のカソード（換言すれば、燃料電池スタック１０内の各燃料電池セルのカソード）に連通している。エア入口３８から流入した空気は、各燃料電池セルのカソードに至り、前述したアノードの水素と共に、燃料電池セルの発電反応に消費される。
【００３９】
カソード内で発電に消費されなかった空気、および、発電による生成水を含むガス（以下、「カソードオフガス」と呼称する）は、エア出口４０から、燃料電池スタック１０の外部へと排出される。エア出口４０は図示しないエア排出系に連通しており、カソードオフガスはこのエア排出系へと流れる。
【００４０】
（第１冷却系）
実施の形態１のシステムの第１冷却系は、ラジエータ５０を有している。ラジエータ５０内には冷却液（ＬＬＣ：Long Life Coolant）が貯留されている。ラジエータ５０は、ポンプ５２の吸入口に連通している。そして、ポンプ５２の吐出口は、燃料電池スタック１０内のセル冷却流路に連通している。ポンプ５２を駆動することで、ラジエータ５０から燃料電池スタック１０へと冷却液を供給し、燃料電池スタック１０内の燃料電池セルの冷却を行うことができる。
【００４１】
供給された冷却液は、燃料電池スタック１０内を流通する過程で冷却に寄与し、再び燃料電池スタック１０の外部に流出する。そして、ラジエータ５０へと還流し、再度、冷却液として利用される。なお、第１冷却系は、燃料電池スタック１０から流出した使用済み冷却液が流れる経路に、温度センサT1を有している。温度センサT1は、この使用済み冷却液の温度を検知することができる。
【００４２】
（第２冷却系）
実施の形態１のシステムの第２冷却系は、ラジエータ６０を有している。ラジエータ６０はポンプ６２に連通しており、第１冷却系と同様に、ポンプ６２を駆動することにより燃料電池スタック１０に冷却液を供給することができる。第２冷却系は、燃料電池スタック１０内の加湿部冷却流路に連通している。加湿部冷却流路内を冷却液が流れることで、燃料電池セルがその内部に有する加湿部（詳細は後述する）の冷却を行うことができる。
【００４３】
第２冷却系の加湿部冷却経路の下流側には、温度センサT4が設けられている。温度センサT4は、加湿部冷却流路を流れて冷却に寄与した冷却液の温度を検知することができる。
【００４４】
実施の形態１のシステムは、ＥＣＵ（Electronic Control Unit）７０を有している。ＥＣＵ７０は、図示しないが、バルブ１４、ヒータ１６、エアコンプレッサ３２、ヒータ３４、温度センサT1、T2、T3、T4のそれぞれと接続されている。ＥＣＵ７０の指令により、バルブ１４の開度、ヒータ１６、３４の温度、エアコンプレッサ３２の動作状態などの情報を取得すると共に、それらの制御を行うことができる。
【００４５】
また、ＥＣＵ７０は、温度センサT1が検知した温度に基づいて燃料電池スタック１０内の燃料電池セルの温度を推定する処理と、温度センサT4が検知した温度に基づいて燃料電池セルの加湿部の温度を推定する処理とを実行することができる。これらの処理は、例えば、予め実験などを行い、第１冷却系内の冷却液の温度が所定の値になった際の燃料電池セル温度の関係、および、第２冷却系内の冷却液の温度が所定の値になった際の加湿部の温度の関係に関するマップをそれぞれ作成しておくことにより、実現することができる。
【００４６】
また、ＥＣＵ７０は、温度センサT3が検知する値に基づいて、エア入口３８に流入する空気の温度を検知することができる。同様に、温度センサT2により、水素入口２０に流入する水素の温度を検知することができる。
【００４７】
（実施の形態１のヒータ）
図２は、実施の形態１の燃料電池システムが備えるヒータを説明するための図である。図２（ａ）は、燃料電池スタック１０の水素入口２０および水素出口２２近傍を示した図である。図２（ｂ）は、図２（ａ）のヒータ１６の具体的構成を示す図である。すなわち、図２（ａ）中の丸で囲った位置の具体的構成を示している。なお、当該位置に備えられる温度センサT2については、図示を省略している。
【００４８】
ヒータ１６は、図２（ｂ）に示すように水素が流通するガス配管に設けられ、外部からの電力供給により当該ガス配管を流れる水素を加熱することができる。そして、外部からの電力供給量を調節することにより、ヒータ１６の出力（温度）を所望の値に調整し、水素を所望の温度に加熱することができる。実施の形態１では、ヒータ３４も、ヒータ１６と同様の構成を有するものとする。
【００４９】
［実施の形態１の燃料電池セルの構成］
（実施の形態１の燃料電池セルの構造）
図３は、燃料電池スタック１０が、その内部に備える燃料電池セル１００の構成を説明するための図である。図３（ａ）は、燃料電池セル１００の断面を示す図である。燃料電池セル１００は、その積層構造の中央にＭＥＧＡ（Membrane Electrode Gas diffusion layer Assembly：膜電極・ガス拡散層接合体）１０２を有している。
【００５０】
ＭＥＧＡ１０２は、電解質膜の両面に電極触媒層、ガス拡散層が順次積層された構造である。そして、電解質膜を境に、一方の面側がカソードとして、他方の面側がアノードとして用いられる。図３（ａ）に示す燃料電池セル１００においては、ＭＥＧＡ１０２の紙面上側をカソード、紙面下側をアノードとする。
【００５１】
ＭＥＧＡ１０２のカソード側には、セパレータ１０４が取り付けられている。セパレータ１０４のＭＥＧＡ１０２側を向く面には、カソードガス流路１０６が形成されている。空気がカソードガス流路１０６を流通する過程で、この空気がＭＥＧＡ１０２のカソード側のガス拡散層および電極触媒層に供給される。
【００５２】
セパレータ１０４は、カソードガス流路１０６が形成された面と反対側の面に、セル冷却流路１０８、加湿部冷却流路１１０を有している。図３（ａ）に示すように、加湿部冷却流路１１０は、セパレータ１０４の一方の端部に、局所的に設けられる。それぞれの冷却流路はセパレータ１０４に独立に形成されており、セル冷却流路１０８は上述した第１冷却系に連通し、加湿部冷却流路１１０は上述した第２冷却系に連通している。
【００５３】
ＭＥＧＡ１０２のアノード側には、セパレータ１１２が取り付けられている。セパレータ１１２のＭＥＧＡ１０２側を向く面には、アノードガス流路１１４が形成されている。また、その反対側の面には、セル冷却流路１１６、加湿部冷却流路１１８がそれぞれ形成されている。加湿部冷却流路１１８は、燃料電池セル１００の前述した加湿部冷却流路１１０が設けられる側の反対側に位置するように、セパレータ１１２の端部に設けられる。
【００５４】
セル冷却流路１１６は上述した第１冷却系に連通し、加湿部冷却流路１１８は上述した第２冷却系に連通している。セパレータ１１２のアノードガス流路１１４には水素が、セル冷却流路１１６および加湿部冷却流路１１８には冷却液が、それぞれ流れる。
【００５５】
（実施の形態１の燃料電池セルへのガス供給）
実施の形態１では、上記説明した燃料電池セル１００に対し、カソードの空気の流れとアノードの水素の流れが対向する（反対向きになる）ように、それぞれのガス供給を行う。具体的には、セパレータ１０４のカソードガス流路１０６の入口（紙面右方端）に、図３（ａ）の紙面右方から左方に向かって空気が流入する。そして、この空気が、当該流路内を流通する過程でＭＥＧＡ１０２へと供給される。
【００５６】
一方、セパレータ１１２のアノードガス流路１１４の入口（紙面左方端）には、図３（ａ）の紙面左方から右方に向かって水素が流入する。そして、この水素が、当該流路内を流通する過程でＭＥＧＡ１０２に供給される。ＭＥＧＡ１０２に空気と水素が供給されることにより、ＭＥＧＡ１０２の電解質膜を介した電気化学的反応が生じ、発電が行われる。
【００５７】
（実施の形態１の燃料電池セルの加湿機能）
発電に伴い、空気と水素の反応の結果、カソードで水が生成する。カソードガス流路１０６の空気はこの生成水を含みながら流れるため、カソードガス流路１０６の出口側の空気は相対的に湿度が高くなる。そのため、カソードガス流路１０６には、その出口側ほど、多くの水が存在する傾向にある。
【００５８】
更に、実施の形態１の燃料電池セル１００は、カソードガス流路１０６の出口部分に加湿部冷却流路１１０を備えている。加湿部冷却流路１１０により、カソードガス流路１０６の出口部分を通過するガスが冷却され、当該ガスに含まれる水分が凝縮して液水となる。そのため、燃料電池セル１００では、カソードガス流路１０６の出口部分に、液体の水が多く存在することとなる。
【００５９】
ＭＥＧＡ１０２がその積層構造の中央に備える電解質膜は、水を透過する性質を有している。カソードガス流路１０６の出口部分には水が多いので、当該位置からは、発電時の電解質膜を介した通常の透過水に比べて、より多くの水が電解質膜を透過してアノード側へと移動することになる。すなわち、当該位置ではアノードとカソードとの湿度の差が大きいので、水の移動量が多くなる（図３（ａ）中の紙面下方を向く矢印）。
【００６０】
前述したように、燃料電池セル１００では、カソードガス流路１０６の空気の流れと、アノードガス流路１１４の水素の流れが対向するように、それぞれのガスが供給されている。従って、カソードガス流路１０６の出口部分から電解質膜を透過してきた水は、アノードガス流路１１４の入口部分へと至ることとなる。
【００６１】
アノードガス流路１１４入口部分に到達した水は、水素の流れに乗って、アノードガス流路１１４の出口側（紙面右方）へと移動する。そして、この水は、アノードガス流路１１４内を搬送される過程でＭＥＧＡ１０２側へも搬送され、ＭＥＧＡ１０２内部の電解質膜に供給される。
【００６２】
ＭＥＧＡ１０２内の電解質膜は、適度な湿潤状態にあると、良好な電気特性を示す。そのため、発電中においては、この電解質膜の加湿を行うことが求められる。燃料電池セル１００においては、上述したように、発電反応に伴う生成水を電解質膜の加湿に活用できるという利点を有している。
【００６３】
水素に搬送される過程で電解質膜側へと供給されなかった水は、アノードガス流路１１４の出口部分へと運ばれる。従って、カソードガス流路１０６と同様に、アノードガス流路１１４でも、その出口部分に多くの水が存在する。そして、加湿部冷却流路１１８の冷却により、当該出口部分には、液体の水が多く存在する。
【００６４】
その結果、アノードガス流路１１４の出口部分においても、電解質膜を透過する水の流れ（図３（ａ）中の紙面上方を向く矢印）が相対的に多くなり、カソードガス流路１０６の入口部分に多くの水が移動することになる。カソードガス流路１０６の入口部分に移動した水は、空気に含まれてカソードガス流路１０６内を流れ、その過程でアノード側と同様に電解質膜の加湿に寄与することとなる。
【００６５】
このように、燃料電池１００では、カソードの生成水を電解質膜の加湿に有効に利用することができる。結果、電解質膜の加湿のために外部加湿装置等を用いる必要がなく、システムを簡易に構成することができる。
【００６６】
（実施の形態１における加湿部）
実施の形態１では、ＭＥＧＡ１０２における電解質膜を介した水の透過量が多くなる位置を、加湿部と定義する。具体的には、図３（ａ）のＭＥＧＡ１０２の加湿部冷却流路１１０直下の部分（カソードガス流路１０６の出口近傍の部分）、および、加湿部冷却流路１１８直上の部分（アノードガス流路１１４の出口近傍の部分）を、加湿部と呼称することとする。
【００６７】
また、実施の形態１においては、ＭＥＧＡ１０２の構造は、加湿部と加湿部以外とに係らず同一とする。即ち、燃料電池セル１００において、加湿部における電解質膜、電極触媒層、ガス拡散層と、加湿部以外の電解質膜、電極触媒層、ガス拡散層は同一の構造である。
【００６８】
（実施の形態１の燃料電池セルのガス流路）
図３（ｂ）は、実施の形態１の燃料電池セル１００における、アノードガス流路１１４を説明するための図である。具体的には、図３（ｂ）は、図３（ａ）を紙面下側から見た場合の、アノードガス流路１１４の形状を示している。図３（ｂ）において、紙面左上側がアノードガス流路１１４の入口側、右下側が出口側に相当する。
【００６９】
また、図３（ｂ）の紙面裏面側には、図示しないカソードガス流路１０６が存在している。カソードガス流路１０６もアノードガス流路１１４と同様の形状となっており、カソードガス流路１０６の構造とアノードガス流路１１４の構造とが、ＭＥＧＡ１０２を挟んで対称となるように構成されている。
【００７０】
実施の形態１では、カソードの空気の流れとアノードの水素の流れが逆方向とされている。そのため、アノードガス流路１１４とは逆に、カソードガス流路１０６の出口部分は図３（ｂ）の右上側となる。
【００７１】
この流路内を、図中に矢印で示したように水素が流通する。そして、図示しないカソード側では、同一形状の流路を、逆方向に空気が流通する。このような構成とすれば、燃料電池セル１００内の生成水の移動を、効果的に行うことができる。なお、図３（ｂ）には、燃料電池セル１００の面内において、第１冷却系が冷却する領域（冷却流路の方向）と、第２冷却系が冷却する領域（加湿部を局所冷却する位置）とがそれぞれ示されている。
【００７２】
［実施の形態１の動作］
以下、実施の形態１の燃料電池システムの動作について説明する。実施の形態１のシステムの発電中には、水素系を通って水素が、エア系を通って空気が、それぞれ燃料電池スタック１０へと供給される。供給された水素と空気が、燃料電池スタック１０内の燃料電池セル１００へと到達し、燃料電池セル１００で発電が生ずる。発電に伴い、燃料電池セル１００内において、前述したような、ガス流れおよび電解質膜の水透過による生成水の移動が生ずる。そして、その過程でＭＥＧＡ１０２の電解質膜の加湿が行われる。
【００７３】
電解質膜の加湿は、燃料電池セル１００内を流れるガス中に含まれる水が電解質膜に供給されることにより、行われている。加湿に利用される水の量は、主に、ガスが燃料電池セル１００に流入して加湿部の通過時に得る水の量（加湿部から持ち去る水量）により定まる。このため、ガスが加湿部を通過する際に適切な量の水を得てその後出口側へ流れる場合には、加湿が適切に行われ、電解質膜の湿潤状態が良好に保たれる。
【００７４】
ガスが加湿部を通過する際に必要な量の水を含むためには、それらの水が加湿部において蒸発し、ガスに含まれる必要がある。しかしながら、例えば当該位置での水の蒸発が円滑に進まないような場合がある。
【００７５】
アノードガス流路１１４とカソードガス流路１０６のうち、一方のガス流路の出口部分を流れる排ガスから電解質膜に吸収された水分は、電解質膜の他方のガス流路の入口部分を流れるガスに蒸発する。このとき、気化潜熱により、電解質膜の当該他方のガス流路入口部分に対応する部位の温度が低下する。温度が低下することにより、電解質膜の当該他方のガス流路入口側の表面では蒸発速度が抑制され、蒸発する水分が少なくなる。その結果、当該他方のガス流路入口部分を流れるガスに供給される水の量が少なくなる。
【００７６】
このような場合には、電解質膜の加湿を行う上で望ましい量の水が含まれなくなる場合が生じうる。よって、電解質膜に十分な水分をすることが困難となり、水分を供給するために加湿器を新たに加えるなどの対策が必要となるおそれがある。また、このような場合、電解質膜の加湿を十分に行うためにより多くのガスを流す必要が生じ、効率の良い加湿を行うことが難しくなる場合がある。
【００７７】
そこで、実施の形態１では、上記のような問題が生ずるのを避けるため、燃料電池セル１００内部に向かうガスが加湿部の表面を通過する際に、当該加湿部で好適な量の水を含むように（加湿部の表面から好適な量の水分を持ち去るように）、当該ガスを加熱することとする。
【００７８】
具体的には、ヒータ１６を用いて水素系を流れる水素を加熱して、燃料電池スタック１０の温度（換言すれば、燃料電池セル１００の温度）よりも高い温度とし、この水素を燃料電池スタック１０へと供給する。同様に、ヒータ３４を用いてエア系を流れる空気を加熱して、燃料電池スタック１０の温度よりも高い温度とし、この空気を燃料電池スタック１０へと供給する。
【００７９】
このようにすることで、加熱された高温の水素および空気が、燃料電池スタック１０へと流れ込み、その内部の燃料電池セル１００へと供給される。その後、加熱された空気が燃料電池セル１００のカソードガス流路１０６の入口部分（加湿部近傍）を、加熱された水素がアノードガス流路１１４の入口部分（加湿部近傍）を、それぞれ通過する。
【００８０】
ガスの温度が高くなるのに応じて、ガスが含みうる水の量も増加する。そのため、加熱されて高温となった状態のガスが加湿部を通過することにより、より多くの水が当該ガスに含まれることになる（加湿部からの水の持ち去り量が増加することになる）。また、実施の形態１では、ガスの温度を燃料電池スタック１０の温度よりも高くすることとする。これにより、加湿部を通過して水を含んだ状態のガスが、燃料電池セル１００内部に流れる過程で、徐々に冷える。その結果、ガス中の水を電解質膜へと効率よく供給することができる。
【００８１】
以上の動作によれば、ガス中に含まれる水の量を十分なものとし、電解質膜の加湿を効果的に行うことができる。その結果、ガスの湿度が不足して電解質膜の加湿効率が低下するのを、回避することができる。
【００８２】
また、実施の形態１の燃料電池セル１００は、内部に加湿部冷却流路１０８、１１０を有している。これらの冷却流路を冷却液が流れ、カソードガス流路１０６の出口部分、アノードガス流路１１４の出口部分が冷却されることにより、当該位置でガスが冷却される。その結果、ガス中の水分が凝縮してそれらの位置に液体の水が多く生ずることになり、これらの水がＭＥＧＡ１０２側へと供給される。これにより、アノードガス流路１１４の出口部分で、ガスから水分を効率よく回収することができる。
【００８３】
そして、実施の形態１は、ガス流路出口部分が冷却されることで多くの液体の水が生じ、この液体の水が電解質膜を介して移動した後、加熱されて飽和水蒸気量が増加したガス中に蒸発するような構成となっている。従って、加湿のための十分な水を得る機能と、ガス中に十分な水を含ませる機能とが両立して、より効果的なガス加湿を行うことができる構成となっている。  
【００８４】
［実施の形態１のシステムが行う具体的処理］
以下、図４を用いて、実施の形態１の燃料電池システムが行う具体的処理を説明する。図４は、実施の形態１において実行されるルーチンのフローチャートであり、実施の形態１のシステムの運転中、すなわち、燃料電池スタック１０への水素、空気の供給が行われている際に実行される。
【００８５】
図４に示すルーチンでは、先ず、ＥＣＵ７０が、温度センサT1、T4から温度情報を取得する（ステップ２００）。ＥＣＵ７０は、これらの温度センサが示す値を用いて、燃料電池スタック１０内の燃料電池セル１００の温度、および、燃料電池セル１００の加湿部の温度をそれぞれ推定する。
【００８６】
続いて、ＥＣＵ７０が、水素系のバルブ１４の開度とエアコンプレッサ３２の駆動状態に関する情報をそれぞれ取得する。その後、これらの値に基づいて、水素系内の水素の流量Qa、エア系内の空気の流量Qcをそれぞれ求める（ステップ２０２）。
【００８７】
次に、温度センサT4の値から推定された加湿部の温度、上記求められた水素および空気の流量、並びに加湿部の能力に基づいて、水素および空気の温度目標値（温度センサT2、T3の目標値）を決定する（ステップ２０４）。
【００８８】
実施の形態１では、ステップ２０４の処理を行うために、予め実験などにより、加湿部の能力（加湿部の通過時にガスがどの程度加湿されるか）に関するマップを作成しておくこととする。具体的には、燃料電池１００の構成において、加湿部が所定の温度にある状態で、所定温度および所定流量でガスを通過させ、加湿部通過後にガスが所定の温度まで下がった状態の当該ガスの湿度を測定する。
【００８９】
そして、温度（加湿部の温度、加湿部通過時のガス温度、加湿部通過後のガス温度）およびガス流量の値を変化させて、所定の環境下における、加湿部通過後のガスの湿度に関するマップを作成しておく。更に、ＭＥＧＡ１０２の電解質膜を適当な湿潤状態としうるような、ガスの湿度の基準値（例えばＲＨ１００％とすることができる）を予め決定しておく。
【００９０】
以上のようにして作成されたマップをＥＣＵ７０が参照することにより、所定の加湿部温度（温度センサT4の値に相当）、ガス流量（Qa、Qcの値に相当）、加湿部通過後の温度（温度センサT1の値に相当）において、電解質膜の適切な加湿に必要な加湿部通過後のガスの湿度を実現しうるような、加湿部を通過するガスの温度（温度センサT2、T3の値に相当）の目標値を得ることができる。
【００９１】
その後、ＥＣＵ７０が、これらの目標値を、温度センサT2、T3より得られる現時点での水素温度、空気温度と比較する。その結果、水素の温度目標値と実際の水素温度との差分ΔT2、空気の温度目標値と実際の空気温度との差分ΔT3が、それぞれ算出される。
【００９２】
続いて、上記得られた温度情報に基づいて、ヒータ１６、３４の出力目標値を決定する。実施の形態１では、この処理を行うために、予め、ヒータ１６、３４の所定出力と当該所定出力における加熱後のガス温度との関係について、マップを作成しておくこととする。ＥＣＵ７０は、このマップを参照し、上記得られたΔT2、ΔT3分の温度上昇がなされるようなヒータ１６、３４の出力目標値を決定する。
【００９３】
その後、この出力目標値に合わせて、ヒータ１６、３４の出力が制御される（ステップ２０６）。これにより、温度センサT2が示す実際の水素温度と水素の温度目標値、温度センサT3が示す実際の空気温度と空気の温度目標値とが一致する。その結果、加湿部通過後の燃料電池セル１００内を流れる水素および空気が、望ましい湿度に調整されることとなる。以上の処理によれば、燃料電池セル１００内を流れるガス中に含まれる水の量（湿度）を調節することができ、電解質膜の加湿を適切に行うことができる。
【００９４】
なお、加湿部を流れるガスの温度と流量によっては、加湿部からの水の持ち去り量が過大となる場合も考えられる。水の持ち去り量が過大となると、電解質膜が過乾燥の状態となる可能性があり、好ましくない。このような事態が生ずるのを避けるため、電解質膜の特性などから予め水の持ち去り量の上限を定めておき、これも考慮しつつ、ガス温度の目標値を定めるようにしてもよい。
【００９５】
尚、上述した実施の形態１では、ＭＥＧＡ１０２が備える電解質膜が前記第１の発明における「電解質膜」に、ＭＥＧＡ１０２がアノードに備える電極触媒層が前記第１の発明における「アノード電極触媒層」に、ＭＥＧＡ１０２がカソードに備える電極触媒層が前記第１の発明における「カソード電極触媒層」に、それぞれ相当している。
【００９６】
また、アノードガス流路１１４が前記第１の発明における「アノードガス流路」に、
セパレータ１１２が前記第１の発明における「アノードガス流通部材」に、カソードガス流路１０６が前記第１の発明における「カソードガス流路」に、セパレータ１０４が前記第１の発明における「カソードガス流通部材」に、ヒータ１６、３４が前記第１の発明における「加熱手段」に、それぞれ相当している。
【００９７】
尚、上述した実施の形態１では、燃料電池システムが備える第２冷却系が前記第２の発明における「冷却手段」に相当している。また、上述した実施の形態１の具体的処理におけるステップ２０４の処理が実行されることで、前記第８の発明における「出力決定手段」が、ステップ２０６の処理が実行されることで、前記第８の発明における「制御手段」が、それぞれ実現されている。
【００９８】
［実施の形態１の変形例］
（第１変形例）
実施の形態１の燃料電池システムは、水素系、エア系の両方に対して、ヒータを設ける構成とした。しかしながら、本発明はこれに限られるものではない。水素系のみにヒータを設ける構成や、エア系のみにヒータを設ける構成としてもよい。
【００９９】
（第２変形例）
実施の形態１では、第１冷却系と第２冷却系という、二つの冷却系を備える構成とした。しかしながら、本発明はこれに限られるものではない。例えば、第１冷却系のみを有するような構成とすることができる。この場合には、実施の形態１の具体的制御で述べたステップ２０４の処理のために、予め、温度センサT1の値に応じて加湿部の温度が何度となるのかについてのマップを作成しておくこととする。このマップにより得られる加湿部の温度を、第２冷却系を備えた構成における温度センサT4の値の替わりに用いて、ステップ２０４の処理を行うことができる。
【０１００】
また、実施の形態１のシステムを、第１冷却系と第２冷却系の両方の機能を有するような１系統の冷却系を有するようなシステムとして構成することもできる。すなわち、特開２００３−２４９２４３号公報に開示されている思想に基づき、セパレータの冷却流路を、冷却水が始めに加湿部上（加湿部冷却流路１１０、１１８に対応する位置）を通過してから燃料電池セルの面内（セル冷却流路１０８、１１６に対応する位置）を通過するように構成することができる。このようなセパレータの冷却流路とすることで、冷却系を１系統としつつ、加湿部の冷却と燃料電池セル全体の冷却とを、それぞれ実現することができる。
【０１０１】
また、実施の形態１のシステムにおいて、第２冷却系を備えないような構成としてもよい。すなわち、加湿部冷却流路を有さないような燃料電池セルを有するシステムに対しても、本発明の思想を適用することができる。この場合にも、実施の形態１のように、燃料電池セルに供給するガスを加熱することにより、当該ガスに多くの水を含ませることができ、電解質膜の加湿を円滑に行うことができる。
【０１０２】
（第３変形例）
実施の形態１では、図２で説明したように、アノードの水素の流れとカソードの空気の流れが完全に対向するように、燃料電池セル１００の構成を定めている。しかしながら、本発明における燃料電池セル１００の構成は、これに限られるものではない。すなわち、カソードガス流路１０６とアノードガス流路１１４とが完全に対称の構成となっていなくともよい。また、ＭＥＧＡ１０２を介して各流路の入口部分と出口部分とが対向する場合に、それらの位置が完全に（精密に）重なるような構成でなくともよい。
【０１０３】
一方のガス流路の出口部分と、他方のガス流路の入口部分とが電解質膜を介して一部でも重なっていれば、一方のガス流路の出口側の水が、電解質膜を透過して他方のガス流路の入口側へと到達するような水の移動が生ずることとなる。このような水の移動が生ずる燃料電池セルであれば、本発明の思想を適用することで、実施の形態１と同様に、電解質膜の加湿を効果的に行うことができる。
【０１０４】
（第４変形例）
実施の形態１では、水素系を流れる水素を、ヒータ１６を用いて加熱した。しかしながら、本発明はこれに限られるものではない。一方のガス流路の上流に相当する部位のガスを加熱しうる構成であればよく、例えば、セパレータの一方のガス流路上流に相当する部位をヒータで加熱し、これによりガスを加熱するような構成としてもよい。
【０１０５】
（第５変形例）
実施の形態１の燃料電池セル１００では、ＭＥＧＡ１０２の構造は、加湿部と加湿部以外とに係らず同一とした。しかしながら、加湿部の構造はこれに限られるものではない。電解質膜を介した水移動をより効果的に行うために、下記に述べるように、加湿部を特別な構造としてもよい。
【０１０６】
加湿部において生ずる水の移動には、アノードからカソードへの移動と、カソードからアノードへの移動の二種類がある。電解質膜は水を透過させる性質を持つため、電解質膜のアノードとカソードのうち一方の湿度が高い場合には、湿度が高いほうから低い方へと移動するような水の移動が生ずる。
【０１０７】
一方、燃料電池セルの電気化学的発電反応の際には、水素イオンがアノードからカソードへ水を伴って移動する。従って、上記の湿度差による水移動とは別に、燃料電池セルの発電中には、アノードからカソードへの水移動が生じている。このような水素イオンの移動に伴う水移動は、カソードガス流路の出口部分からアノードガス流路の入口部分への水の移動と逆向きとなる。よって、加湿部におけるアノードへの水の移動が妨げられ、十分な量の水をアノードガス流路の入口部分へ供給できなくなる場合がある。
【０１０８】
そこで、加湿部に当たる位置には電極触媒層を設けず、電解質膜が露出するような構成とすることができる。具体的には、ガス流路の入口部分、出口部分のどちらか一方、またはその両方について、電極触媒層を除去した構成とすることができる。このような構成によれば、上述したような水素イオンに随伴する水移動が生じなくなる。また、電解質膜が露出し、その表面がガスと接触する面積が増加する。これによれば、電解質膜の表面に触れるガス量を増加することができる。換言すれば、電解質膜の表面に触れるガス量が少なくなることに起因してガスの加湿効率が低下する弊害を、回避できる。
【０１０９】
また、加湿部が、電解質膜上にイオン交換樹脂とカーボン等の多孔質体との混合物による層（換言すれば、アイオノマーを含む多孔質体）が形成された構造であってもよい。この場合には、多孔質体による蒸散効果の増大によって、加湿部を電解質膜のみとした場合に比して、多くの水を電解質膜を介して移動させることができる。
【０１１０】
なお、上記のイオン交換樹脂を含む多孔質体の層は、電極触媒層が触媒を担持させた多孔質体（カーボンなど）とイオン交換樹脂とを混合したものを層状に形成したものである場合には、この電極触媒層から触媒成分を除くことによって実現することができる。また、電極触媒層とは異なる種類の多孔質体を用いたり、好適なイオン交換樹脂を選択したりするなどして、より好ましい材料で加湿部を形成することとしてもよい。
【０１１１】
これらの場合において、イオン交換樹脂と多孔質体の混合物による層を形成する際には、従来の電極触媒層を形成する際と同様の手法を用いることができる。具体的には、例えば、触媒、カーボン、イオン交換樹脂の溶媒を混ぜ合わせたものを電解質膜表面に塗布し、乾燥させるなどの手法を用いることができる。
【０１１２】
また、加湿部に当たる位置の電極触媒層を、他の位置の電極触媒層に比して含まれる触媒の量が少なくなるような構成とすることができる。このような場合にも、水素イオンの移動に伴う水移動が相対的に少なくなるため、カソードからアノードへの水移動を相対的に増加させることができる。
【０１１３】
（第６変形例）
図５は、実施の形態１の燃料電池セル１００の変形例を説明するための図である。図５（ａ）は、燃料電池セルのアノード側の面を見た図であり、セル内部の説明を行うために、セパレータ３０４を一部透視して示している。図５（ａ）の燃料電池セルの紙面上方と下方の矢印は、それぞれ、当該燃料電池セル内部を流れる水素と空気の流れを示している。
【０１１４】
図５（ａ）の燃料電池セルは、紙面中央に電極触媒層３００を有している。そして、紙面右側の一部の領域には、加湿部３０２が存在している。加湿部３０２は、第５変形例で述べた種々の構造を適用することができる。
【０１１５】
図５（ｂ）の燃料電池セルは、図５（ａ）とは異なり、短手方向（燃料電池セルの短辺と平行な方向）に沿ってガスが流れるような構成の一例である。セパレータ３１４を一部透視して示しており、電極触媒層３１０の紙面下側に加湿部３１２が存在している。
【０１１６】
図６は、図５（ｂ）の燃料電池セル冷却用の冷却系（実施の形態１における第１冷却系に相当）の一例である。図６に示すように、冷却系の上流側が加湿部３１２の位置にくるような流路構造とすることで、加湿部３１２の冷却を効果的に行うことができる。
【図面の簡単な説明】
【０１１７】
【図１】本発明の実施の形態１の燃料電池システムの構成を説明するための図である。
【図２】実施の形態１のシステムが有するヒータの構成を説明するための図である。
【図３】実施の形態１のシステムが有する燃料電池セルの構成を説明するための図である。
【図４】実施の形態１が実行するルーチンのフローチャートである。
【図５】実施の形態１の燃料電池セルの変形例を説明するための図である。
【図６】実施の形態１の燃料電池セルの変形例を説明するための図である。
【符号の説明】
【０１１８】
燃料電池スタック      １０
水素タンク            ２
バルブ                １４
ヒータ                １６、３４
水素入口              ２０
水素出口              ２２
エアコンプレッサ      ３２
エア入口              ３８
エア出口              ４０
ラジエータ            ５０、６０
ポンプ                ５２、６２
ＥＣＵ                ７０
温度センサ            T1、T2、T3、T4
【図１】
2008097891.tif 000003
【図２】
2008097891.tif 000004
【図３】
2008097891.tif 000005
【図４】
2008097891.tif 000006
【図５】
2008097891.tif 000007
【図６】
2008097891.tif 000008